(57)【要約】【課題】装飾効果と防犯効果とを同時に実現することができる塀１上フェンス２を提供する。【解決手段】長手方向に沿って設けられたベース部３の上部に剣先部５を設けたフェンス２を、ブラケット７を介して塀１の上部に取り付けるとともに、上記ブラケット７の下部には塀１に固定される固定部８を、上部にはフェンス２に固定される挟着部９を備え、上記固定部８を、上記塀１に対して敷地内からのみ取り外し可能にボルト１８で固定するとともに、上記挟着部９によって上記ベース部３の任意の位置に挟着する。【選択図】図５
2005226310.tif 000002
【特許請求の範囲】
【請求項１】
長手方向に沿って設けられたベース部の上部に剣先部を設けたフェンスを、ブラケットを介して塀の上部に取り付けるとともに、上記ブラケットの下部には塀に固定される固定部を、上部にはフェンスに固定される挟着部を備え、上記固定部を、上記塀に対して敷地内からのみ取り外し可能にボルトで固定するとともに、上記挟着部によって上記ベース部の任意の位置に挟着することを特徴とする塀上フェンス。
【請求項２】
前記ベース部は、前記ブラケットの固定部に取り付けられた固定ネジの軸心の延長上に配置されている、請求項１記載の塀上フェンス。
【請求項３】
前記挟着部をブラケット本体と敷地の外側の外側ブロックとから構成し、上記ブラケット本体と外側ブロックとを敷地の内側から挿通したボルトで固定して前記フェンスを挟着し、前記固定部を前記塀の上端面に載置し、上記固定部のネジ挿通孔から固定ネジを挿通して上記塀に固定するとともに、上記外側ブロックの一部を上記固定部のネジ挿通孔の上方に張出すように形成した、請求項１記載の塀上フェンス。
【請求項４】
前記固定部を、ブラケット本体と敷地の外側の外側ブロックとから構成し、上記外側ブロックをブラケット本体の敷地の内側から挿通したボルトにより、前記ベース部と塀とを挟着固定した、請求項１に記載の塀上フェンス。
【発明の詳細な説明】
【技術分野】
【０００１】
本発明は既存の塀の上に高さの低いフェンスを設置する塀上フェンスに関するものである。
【背景技術】
【０００２】
一般に、屋敷と道路との境界には塀やフェンスなどの境界にはコンクリートブロックなどによる塀が設けられている。塀の上端は平らになっている場合が多い。このため、塀は目隠し的効果だけであり、塀を乗り越えて屋敷外から屋敷内に侵入するのを阻止するには不充分であった。
【０００３】
これに対し、防犯上の配慮から、塀の上部に有刺鉄線を設けたり、ガラスの破片を固定したりして、不審者が外部から塀を乗り越えられないようにしている例も見受けられるが、これらは防犯効果は高いかもしれないが、あまりにも直接的で見た目の印象がよくない。
【０００４】
そこで、既設の塀の上に忍び返しをユニット化し、これを塀の上に固定して防犯性を高めようとすることが提案されている。
【特許文献１】特開２００３−１８４３５４号公報
【発明の開示】
【発明が解決しようとする課題】
【０００５】
しかしながら、このように忍び返しユニットを塀の上に固定する方式では、装飾的効果は向上したが、防犯効果はあまり期待できない。なぜならば、上記ユニットは塀の上端面に釘等で固定するものであるから、構造上、外部から釘等を取り外すことができる。このため、防犯効果はあまり期待することができない。
【０００６】
また、上記ユニットの塀に対する取付位置（固定ネジの位置）は決まっているから、その位置に対応する塀の位置に窪みがあったり金具等の部材があれば、全体の取付強度が弱くなるという問題がある。
【０００７】
本発明は上記問題点を解消し、装飾効果と防犯効果とを同時に実現することができる塀上フェンスを提供することをその課題とする。
【課題を解決するための手段】
【０００８】
前記課題を解決するため、本発明に係る塀上フェンスは、長手方向に沿って設けられたベース部の上部に剣先部を設けたフェンスを、ブラケットを介して塀の上部に取り付けるとともに、上記ブラケットの下部には塀に固定される固定部を、上部にはフェンスに固定される挟着部を備え、上記固定部を、上記塀に対して敷地内からのみ取り外し可能にボルトで固定するとともに、上記挟着部によって上記ベース部の任意の位置に挟着することを特徴とする。
【０００９】
なお、前記ベース部は、前記ブラケットの固定部に取り付けられた固定ネジの軸心の延長上に配置されているのが好ましい。
【００１０】
また、前記挟着部をブラケット本体と敷地の外側の外側ブロックとから構成し、上記ブラケット本体と外側ブロックとを敷地の内側から挿通したボルトで固定して前記フェンスを挟着し、前記固定部を前記塀の上端面に載置し、上記固定部のネジ挿通孔から固定ネジを挿通して上記塀に固定するとともに、上記外側ブロックの一部を上記固定部のネジ挿通孔の上方に張出すように形成してもよい。
【００１１】
さらに、前記固定部を、ブラケット本体と敷地の外側の外側ブロックとから構成し、上記外側ブロックをブラケット本体の敷地の内側から挿通したボルトにより、前記ベース部と塀とを挟着固定するようにしてもよい。
【発明の効果】
【００１２】
本発明によれば、剣先部を有するフェンスを塀上に設けることにより全体の装飾効果を高めることができると同時に、ブラケットの下部の固定部を塀に対して敷地内からのみ取り外し可能にボルトで固定しているので、敷地の外から内側に短時間の内に侵入するのはかなり困難である。このため、上記塀上フェンスによれば防犯効果も高い。
【００１３】
また、ブラケットは塀の最適位置に固定することができるので、フェンス全体の取付強度を確保することができる。
【発明を実施するための最良の形態】
【００１４】
長手方向に沿って設けられたベース部の上部に剣先部を設けたフェンスを、ブラケットを介して塀の上部に取り付けるとともに、上記ブラケットの下部には塀に固定される固定部を、上部にはフェンスに固定される挟着部を備え、上記固定部を、上記塀に対して敷地内からのみ取り外し可能にボルトで固定するとともに、上記挟着部によって上記ベース部の任意の位置に挟着することにより、装飾効果と防犯効果とを同時に実現した。
【実施例１】
【００１５】
図１は本発明に係る塀上フェンスをコンクリートブロックの塀に設置した場合の正面図、図２はその要部の斜視図、図３はその分解斜視図、図４はフェンスの取付状態の拡大正面図であり、図５はその側面図である。
【００１６】
図１において符号１は塀を示す。この塀１は屋敷と道路とを区画するものとして既に設置されているもので、コンクリートブロックによって構成されている。
【００１７】
上記ブロック塀１の上部には高さの低いフェンス２が固定されている。フェンス２はアルミニウムの鋳物などによって成形すればよい。下部の細長板状のベース部３の上部には波形模様の装飾部４が、さらにその上部には剣先部５が形成されている。ベース部３の敷地の内外側には溝６が形成されている。
【００１８】
上記フェンス２はブラケット７を介して塀１の上端に固定されている。
【００１９】
ブラケット７はブラケット本体７ａと敷地の外側の外側ブロック７ｂとからなり、ブラケット７の下部には塀１に固定される固定部８を、上部にはフェンス２に固定される挟着部９を備えている。
【００２０】
ブラケット７の挟着部９は、ブラケット本体７ａ上部と敷地の外側の外側ブロック７ｂとから構成されている。外側ブロック７ｂはブラケット本体７ａよりも幅広で、垂直部１０と水平部１１とからＬ字形に形成され、水平部１１の上部両側には位置決め用の突部１２が形成されている。両突部１２間の間隔はブラケット本体７ａの幅とほぼ等しくなるように形成されている。また、水平部１１の敷地内側には雌ネジ１３が開口形成されている。さらに、垂直部１０の内面下部には突片１４が形成されている。
【００２１】
これに対し、ブラケット本体７ａの下部には固定部８が形成され、固定部８はフェンス２の長手方向に沿うように張出している。上部には敷地の内外方向に貫通するボルト挿通孔１５が形成され、固定部８には垂直の方向に貫通するネジ挿通孔１６が形成されている。
【００２２】
フェンス２を塀１に固定するときは、ブラケット本体７ａの固定部８から挿通した固定ネジ１７を塀１の上端の適宜位置にねじ込んで固定する。次に、フェンス２のベース部３をブラケット本体７ａと外側ブロック７ｂとで挟み、ブラケット本体７ａの垂直部のボルト挿通孔１５からボルト１８を挿通して外側ブロック７ｂの雌ネジ１３にねじ込む。このとき、フェンス２は外側ブロックの突部１２の間に位置決めされるので、ボルト挿通孔１５と雌ネジ１３は自動的に整合し、ねじ込みは容易である。また、ネジの締め込みにつれ、外側ブロック７ｂの下部の突片１４がブラケット本体７ａの垂直部に当接した後は、その上部がブラケット本体７ａ側に引寄せられるので、上記挟着部９によってフェンス２は内外両側から強固に挟着される。これにより、フェンス２は塀１の上に固定される。このとき、フェンス２のベース部３は、ブラケット本体７ａの固定部８に取りつけられた固定ネジ１７の軸心の延長上に配置されるようになっている。なお、固定ネジ１７の長さがフェンス２のベース部３の下端から塀１の上端までの距離よりも長ければなおよい。
【００２３】
上述のようにしてフェンス２をブラケット７を介して塀１に取り付けることにより、フェンス２は装飾的効果を向上させることができるほか、フェンス２のベース部３は、ブラケット本体７ａの固定部８に取りつけられた固定ネジ１７の軸心の延長上に配置されているから、直接にドライバ１９等によってブラケット７の固定部８の固定ネジ１７を外すことはできない。まず、ブラケット７の挟着部９を外してフェンス２を取り外さなければ、固定ネジ１７を緩めることはできない。しかし、挟着部９の固定ボルト１８を外すには敷地の内側から治具を使わなければならない。１個のフェンス２には少なくとも２個のボルト１８が取り付けられているので、ボルト１８を取り外すのに時間がかかるほか、塀１の上の不安定な場所で大きな音をたてず、人に気づかれないようにフェンス２を外すのは、非常に面倒である。したがって、敷地の外から内側に短時間の内に侵入するのはかなり困難である。このため、上記塀上フェンス２によれば防犯効果も高い。
【００２４】
なお、ブラケット７は塀１の最適位置に固定することができるので、フェンス全体の取付強度を確保することができる。
【実施例２】
【００２５】
図６はブラケット７の一部で固定ネジ１７が外されるのを阻止しようとするもので、外側ブロック７ｂの一部は上記固定部８のネジ挿通孔１６の上方に張出すように形成されている。そして、張出し部２０は、ブラケット本体７ａの固定部８に取りつけられた固定ネジ１７の軸心の延長上に配置されるようになっている。この場合も、上記張出し部２０の下面とブラケット本体７ａの固定部８との間の間隔は、上記固定ネジ１７の長さよりも小さくなるように形成するのが好ましい。
【００２６】
フェンス２のベース部３は、ブラケット本体７ａの固定部８に取りつけられた固定ネジ１７の軸心の延長上に配置されているから、直接にドライバ等によってブラケット７の固定部８の固定ネジ１７を外すことはできない。まず、ブラケット７の挟着部９を外してフェンス２を取り外さなければ、固定ネジ１７を緩めることはできない。しかし、挟着部９のボルト１８を外すには敷地の内側から治具を使わなければならない。したがって、敷地の外から内側に短時間の内に侵入するのはかなり困難であるので、防犯効果も高い。
【実施例３】
【００２７】
図７は塀１がコンクリートブロックではなく、金属製のフェンス２によって構成されている場合の例である。
【００２８】
同図において符号１はアルミニウム等の金属製型材によって構成された塀の上部を示す。
【００２９】
上記塀１の上部には高さの低いフェンス２が固定されている。このフェンス２も、基本的には上述のフェンスと同じ構造を有し、下部のベース部３の上部には波形模様の装飾部４が、さらにその上部には剣先部５が形成され、また上記ベース部３の両側面には長手方向に沿って溝６が形成されている。
【００３０】
上記フェンス２はブラケット７を介して塀１の上端に固定されている。
【００３１】
ブラケット７はブラケット本体７ａと敷地の外側の上下部外側ブロック７ｂ、７ｃとからなり、ブラケット７の下部には塀１に固定される固定部８を、上部にはフェンス２に固定される挟着部９を備えている。
【００３２】
ブラケット７の挟着部９は、ブラケット本体７ａと敷地の外側の上部外側ブロック７ｂとから構成されている。上部外側ブロック７ｂは実施例１に示した外側ブロックと同じ構造である。
【００３３】
ブラケット７の固定部８は、塀１の中心から敷地の内側に配置されるブラケット本体７ａと敷地の外側に配置される下部外側ブロック７ｃとから構成されている。ブラケット本体７ａには敷地の内外方向に貫通するボルト挿通孔１５が形成され、ボルト挿通孔１５の下部にはＬ字形の切欠き部２１が形成されている。
【００３４】
下部外側ブロック７ｃもブラケット本体７ａよりも幅広で、水平部２２と垂直部２３とからＬ字形に形成され、水平部２２の敷地内側には雌ネジ１３が開口形成されている。さらに、水平部２２の上部には突片１４が、下部両側には位置決め用の突部１２が形成されている。
【００３５】
上記フェンス２を塀１に固定するときは、フェンス２のベース部３をブラケット本体７ａと上部外側ブロック７ｂとで挟み、ブラケット本体７ａのボルト挿通孔１５から固定ボルト１８を挿通して上部外側ブロック７ｂの雌ネジ１３にねじ込む。このとき、フェンス２は上部外側ブロック７ｂの突部１２の間に位置決めされるので、ボルト挿通孔１５と雌ネジ１３は自動的に整合し、ねじ込みは容易である。また、固定ボルト１８の締め込みにつれ、上部外側ブロック７ｂの下部の突片１４がブラケット本体７ａに当接した後は、その上部がブラケット本体７ａ側に引寄せられるので、上記挟着部９によってフェンス２は内外両側から強固に挟着される。次に、塀１の上部をブラケット本体７ａと下部外側ブロック７ｃとで挟み、ブラケット本体７ａのボルト挿通孔１５から固定ボルト１８を挿通して下部外側ブロック７ｃの雌ネジ１３にねじ込む。このときも、フェンス２は下部外側ブロックの突部１２の間に位置決めされるので、ボルト挿通孔１５と雌ネジ１３は自動的に整合し、ねじ込みは容易である。また、固定ボルト１８の締め込みにつれ、下部外側ブロックの下部の突片１４がブラケット本体７ａに当接した後は、その下部がブラケット本体７ａ側に引寄せられるので、上記挟着によってフェンス２は内外両側から強固に挟着される。これにより、フェンス２は塀１の上に固定される。
【００３６】
上述のようにしてフェンス２をブラケット７を介して塀１に取り付けることにより、フェンス２は装飾的効果を向上させることができるほか、直接にドライバ等によってフェンス２を取り外すためには、ブラケット７の挟着部９と固定部８の固定ボルト１８を敷地内側から緩めて外さなければならない。したがって、敷地の外から内側に短時間の内に侵入するのはかなり困難である。このため、上記塀上フェンス２によれば防犯効果も高い。
【００３７】
なお、ブラケット７は塀１の最適位置に固定することができるので、フェンス２全体の取付強度を確保することができる。
【００３８】
ところで、上述の各実施例において、ブラケット７と外側ブロックはフェンス２のベース部３又は塀１の溝６に嵌まり合う抜け止め用の凸部があってもよい。
【図面の簡単な説明】
【００３９】
【図１】本発明に係る塀上フェンスをコンクリートブロックの塀に設置した場合の正面図である。
【図２】上記塀上フェンスの要部の斜視図である。
【図３】上記塀上フェンスの分解斜視図である。
【図４】フェンスの取付状態の拡大正面図である。
【図５】フェンスの取付状態の拡大側面図である。
【図６】他のブラケットを使用した場合の拡大正面図である。
【図７】塀を金属製のフェンスによって構成した場合の取付状態の拡大側面図である。
【符号の説明】
【００４０】
１  塀
２  フェンス
３  ベース部
７  ブラケット
８  固定部
９  挟着部
【図１】
2005226310.tif 000003
【図２】
2005226310.tif 000004
【図３】
2005226310.tif 000005
【図４】
2005226310.tif 000006
【図５】
2005226310.tif 000007
【図６】
2005226310.tif 000008
【図７】
2005226310.tif 000009